(57)【要約】【課題】上棚かごに覆われた下かご空間を開放して食器を容易に出し入れすることができ、移動してできた上棚かごの小物入れの反対側の空間を有効利用して使い勝手が良い食器洗い機を提供する。【解決手段】上方に上開口部を有する洗浄槽２２と、洗浄槽２２内に上下に配設され食器類２５を載置する下かご２８と上棚かご２７と、下かご２８に小物入れ２９とを備え、上棚かご２７には補助かご３５が回転自在で立てた状態で備えられ、小物入れ２９と上棚かご２７とは横移動可能に構成され、上棚かご２７が横移動した後、補助かご３５は上棚かご２７が移動してできた空間に倒すことができる構成としたもので、上棚かごと小物入れに食器が載置された状態でそれぞれを移動可能とすることで、上棚かごに覆われた下かご空間を開放して食器を容易に出し入れすることができるようにし、上棚かごと小物入れを移動させたあと補助かごにさらに食器を配置できる。【選択図】図７
2014018263.tif 000002
【特許請求の範囲】
【請求項１】
上方に上開口部を有する洗浄槽と、前記洗浄槽内に上下に配設され食器類を載置する下かごと上棚かごと、前記下かごに小物入れと、前記上棚かごに補助かごとを備え、前記補助かごは、前記上棚かごに形成された回転軸で回転自在に軸支されるとともに前記上棚かごに立て掛けた状態で保持され、前記小物入れと前記上棚かごとは横移動可能に構成され、前記上棚かごが横移動した後、前記補助かごは前記上棚かごが移動してできた空間に倒すことができる構成とした食器洗い機。
【請求項２】
前記上棚かごは、前記小物入れの上部空間を覆わない部分を残すように移動範囲を規制された請求項１記載の食器洗い機。
【請求項３】
前記洗浄槽は前方に前開口部を有する筐体の内部に設けられ、前記上棚かごは、前記洗浄槽の引き出し方向に対して垂直方向に移動するように構成された請求項１または２記載の食器洗い機。
【請求項４】
前記補助かごは前記小物入れの位置とは反対側に構成された請求項１〜３のうちいずれか一項記載の食器洗い機。
【請求項５】
前記補助かごは軸支される軸支孔を長円形とするとともに前記上棚かごに係止する係止部を有し、前記補助かごを上方に持ち上げることで前記係止部を上棚かごに係止して前記上棚かごに立て掛けた状態にする構成とした請求項１〜４のうちいずれか一項記載の食器洗い機。
【請求項６】
前記補助かごは前記上棚かごに沿って複数に分割され、それぞれが独立して回転するように構成された食器洗い機。
【請求項７】
前記補助かごが回転して倒された時に、食器類が載置できる状態に支える支持部が形成された請求項１〜６のうちいずれか一項記載の食器洗い機。
【発明の詳細な説明】
【技術分野】
【０００１】
本発明は食器類を洗浄する食器洗い機に関するものである。
【背景技術】
【０００２】
従来、この種の食器洗い機は図７，８のように構成されている（例えば、特許文献１参照）。図７は、従来の食器洗い機の側面断面図、図８は、同じく正面断面図で、システムキッチンに組み込まれた状態を示すものである。図に示すように、前方に前開口部１を有する筐体２はシステムキッチンに収容され、筐体２の内部に設けられた洗浄槽３は、前開口部１を覆う扉体４と、上方に上開口部５を有し、内部に食器類６を収容する食器かご７を配置している。食器かご７の下方には洗浄ノズル８を回転自在に設けており、洗浄槽３内に溜めた洗浄水をポンプ９によって循環させ、洗浄ノズル８より噴射して食器類６を洗浄する。洗浄槽３の左右側部の外側下方にはレール１０が配設され、洗浄槽３は、前後方向へ移動可能に筐体２の左右側面の内側で支持されている。
【０００３】
使用者は、扉体４に一体的に形成された把手部１１をつかみ、洗浄槽３を前方に引き出し、上開口部５より食器類６の出し入れを行う。筐体２内の上部空間には上開口部５を封止する内蓋１２が設けられ、洗浄槽３が筐体２内に戻される時に、筐体２内の上部空間に待機していた内蓋１２が、筐体２の左右側面の内側に配したリンク機構１３等により後方へ移動しつつ降下して上開口部５を閉塞するよう構成されている。
【０００４】
また、食器かご７は、下かご１４と上棚かご１５の上下２段で構成され、下かご１４には、箸やスプーン等の細長いカトラリーを立てて収容する小物入れ１６が上棚かご１５を避けた位置に配置され、洗浄槽３内の空間を効率的に活用して、より多くの食器類６を収納して効率よく洗浄できるように工夫されている。下かご１４には皿や椀類、上棚かご１５にはコップや湯飲み類、小物入れ１６には箸やスプーン等の細長いカトラリーが収納される。
【０００５】
使用者が食器類６の出し入れを行う際には、洗浄槽３を前方に引き出し、上開口部５より行うが、上棚かご１５に食器類６を載置してしまうと下かご１４へ食器類６を載置しにくくなるため、通常は下かご１４から先に載置する。上棚かご１５は、洗浄槽３の内壁側を支点として回動自在で立ち上げられる構成として、下かご１４に食器類６を載置する際の邪魔にならないようにしているものが多い。また、特許文献１のように、上棚かご１５を回動自在とするのではなく、摺動するなどして横方向に移動できるようにした構成もある。
【０００６】
食器洗い機は、使用者によって洗浄槽３が筐体２内に戻され、運転を開始されると、洗浄槽３の底部に配置されたヒータ１６によって洗浄水を加熱しながら、その洗浄水を洗浄ノズル８から食器類６に向かって噴射し、食器類６の汚れを落とす洗浄行程を行う。その後、食器類６をすすいだ後、排水を行い、洗浄槽３内の空気をヒータ１６によって暖めつつ、送風手段１５によって排気する乾燥行程を行って運転を終了する。
【先行技術文献】
【特許文献】
【０００７】
【特許文献１】特開２００６−０６１３５８号公報
【発明の概要】
【発明が解決しようとする課題】
【０００８】
しかしながら、前記従来の構成では、下かご１４から順に汚れた食器類６を載置する必要があるが、使用者が、食器類６を下かご１４、上棚かご１５に関係なく載置して、先に上棚かご１５に食器類６を載置してしまうと、上棚かご１５を回動して立ち上げることができず、上棚かご１５に覆われた下かご１４スペースには食器類６を載置しにくくなり、場合によっては一旦上棚かご１５に載置した食器類６を取り出す必要があるという課題を有していた。
【０００９】
また、上棚かご１５が洗浄槽３内を横移動可能に構成した場合でも、小物入れ１６に箸やスプーン等の細長い食器類６を載置した後では、上棚かご１５がこれらの食器類６に干渉して自由に移動することができないという課題を有していた。これらは、洗浄後の食器類の取り出しの際も、上棚かご１５から取り出さなければならないという順番を規制される点では同様である。
【００１０】
本発明は、上記従来の課題を解決するもので、上棚かごに食器を搭載した状態で移動可能とするとともに、小物入れも食器を収容した状態で横移動可能とすることで、上棚かごに覆われた下かご空間を開放して食器を容易に出し入れすることができ、また、上棚かごが移動してできた空間を有効利用できるようにすることにより、使い勝手が良い食器洗い機を提供することを目的とする。
【課題を解決するための手段】
【００１１】
前記従来の課題を解決するために、本発明の食器洗い機は、上方に上開口部を有する洗浄槽と、前記洗浄槽内に上下に配設され食器類を収容する下かごと上棚かごと、前記下かごに小物入れとを備え、前記上棚かごには補助かごが回転自在で立てた状態で備えられ、前記小物入れと前記上棚かごとは横移動可能に構成され、前記上棚かごが横移動した後、前記補助かごは前記上棚かごが移動してできた空間に倒すことができる構成としたものである。
【００１２】
これによって、上棚かごを食器が載置された状態で上棚かごを移動可能とし、小物入れも小物入れに食器が収容された状態で小物入れを移動可能とすることで、使用者が上棚かごを移動するときに食器が入った小物入れも移動することにより、小物入れの食器が上棚かごの移動を妨げることがない。そして、上棚かごに覆われた下かご空間を開放して食器を容易に出し入れすることができるともに、配置できる食器の形状の範囲が広がり、さらに、前記上棚かごに備えられた補助かごを倒すことにより、より多くの食器を収容することができる。
【発明の効果】
【００１３】
本発明の食器洗い機は、食器かごに食器を入れる際に、小物入れと上棚かごとを移動可能にすることで、下かごへ食器を容易に出し入れすることができ、上棚かごに備えた補助かごにより、上棚かごの移動後の空間を有効利用することができ、使い勝手が良い食器洗い機を提供することができる。
【図面の簡単な説明】
【００１４】
【図１】本発明の実施の形態１における食器洗い機の側面断面図
【図２】同食器洗い機の上棚かごの移動前の正面断面図
【図３】同食器洗い機の上棚かごの移動後の正面断面図
【図４】（ａ）同食器洗い機の食器かごの移動位置を示す平面図（ｂ）同食器洗い機の食器かごの移動位置を示す平面図
【図５】本発明の実施の形態２における食器洗い機の側面断面図
【図６】同食器洗い機の上棚かごの移動前の正面断面図
【図７】同食器洗い機の上棚かごの移動後の正面断面図
【図８】（ａ）同食器洗い機の補助かごを立て掛けた状態の側面図（ｂ）同食器洗い機の補助かごを倒した状態の側面図
【図９】（ａ）同食器洗い機の補助かごの利用の一例を示す平面図（ｂ）同食器洗い機の補助かごの利用の他の一例を示す平面図
【図１０】従来の食器洗い機の側面断面図
【図１１】従来の食器洗い機の正面断面図
【発明を実施するための形態】
【００１５】
第１の発明の食器洗い機は、上方に上開口部を有する洗浄槽と、前記洗浄槽内に上下に配設され食器類を載置する下かごと上棚かごと、前記下かごに小物入れと、前記上棚かごに補助かごとを備え、前記補助かごは、前記上棚かごに形成された回転軸で回転自在に軸支されるとともに前記上棚かごに立て掛けた状態で保持され、前記小物入れと前記上棚かごとは横移動可能に構成され、前記上棚かごが横移動した後、前記補助かごは前記上棚かごが移動してできた空間に倒すことができる構成としたものである。これにより、上棚かごに食器が載置された状態で上棚かごを移動可能とし、小物入れにも箸などの食器が収容された状態で小物入れを移動可能とすることで、使用者が上棚かごを移動するときに食器が入った小物入れも移動することにより、小物入れの食器が上棚かごの移動を妨げることがない。そして、上棚かごに覆われた下かご空間を開放して、食器を容易に出し入れすることができるとともに配置できる食器の形状の範囲が広がり、さらに、上棚かごに備えられた補助かごを立て掛けた状態から倒すことにより、より多くの食器を収容することができる。
【００１６】
第２の発明は、第１の発明において、前記上棚かごは、前記小物入れの上部空間を覆わない部分を残すように移動範囲を規制されたものである。これにより、小物入れに食器類を収容した状態で、不用意に上棚かごが移動された場合でも、小物入れに収容した食器類に当たって無理な負荷をかけることがなく、小物入れや箸類を破損させることを防止することができる。
【００１７】
第３の発明は、第１または２の発明において、前記洗浄槽は前方に前開口部を有する筐体の内部に設けられ、前記上棚かごは、前記洗浄槽の引き出し方向に対して垂直方向に移動するように構成されたものである。これにより、洗浄槽が引き出されたり収納されたりする開閉動作の際に、移動可能な上棚かごと小物入れが慣性力によって移動してしまうことがなく、食器類の脱落や食器類同士の接触による破損を防止することができる。
【００１８】
第４の発明は、第１〜第３のいずれかの発明において、前記補助かごは前記小物入れの位置とは反対側に構成されたことにより、上棚かごに立て掛けた状態で洗浄槽の壁側に寄せた時には補助かごが邪魔にならず、食器類の載置に支障をきたすことがない。
【００１９】
第５の発明は、第１〜第４のいずれかの発明において、前記補助かごは軸支される軸支孔を長円形とするとともに前記上棚かごに係止する係止部を有し、前記補助かごを上方に持ち上げることで前記係止部を上棚かごに係止して前記上棚かごに立て掛けた状態にする構成としたものであり、補助かごを上方に持ち上げることで上棚かごに立て掛けたり、上棚かごから係止部を外して回転させて倒したりすることが容易にできる。
【００２０】
第６の発明は、第１〜第５のいずれかの発明において、前記補助かごは前記上棚かごに沿って複数に分割され、それぞれが独立して回転するように構成されたことにより、前記補助かごを個別に倒して使用することができるとともに、下かごに背の高い被洗浄物を配置した場合に、倒した補助かごで支持することができ、被洗浄物を安定して収容することができる。
【００２１】
第７の発明は、第１〜第６のいずれかの発明において、前記補助かごが回転して倒された時に、食器類が載置できる状態に支える支持部が形成されたものであり、食器類を補助かごに載置しても強度的に問題がないように保持され、より多くの食器類を収容することができる。
【００２２】
以下、本発明の実施の形態について、図を参照しながら説明する。なお、この実施の形態によって本発明が限定されるものではない。
【００２３】
（実施の形態１）
図１〜図４は、本発明の実施の形態１における食器洗い機を示すもので、特に図４（ａ），（ｂ）は、上棚かご２７と小物入れ２９との移動位置の違いを示し、２７と２９にａ，ｂを付記した符号によって区別して示す。
【００２４】
図１〜４において、前方に前開口部２０を有する筐体２１の内部に設けられた洗浄槽２２は、前後に移動可能に構成され、前開口部２０を覆う扉体２３と、上方に上開口部２４が設けられ、内部に食器類２５を載置する食器かご２６が配置されている。食器かご２６は、上棚かご２７が下かご２８の上部の一部を覆うように上下２段に構成されている。また、下かご２８には、箸やスプーン等の細長いカトラリー類を立てて収容できる小物入れ２９が配置されている。
【００２５】
上棚かご２７の両端には、摺動部材３０が設けられており、洗浄槽２２の前後の側壁に水平方向に取り付けられたレール部材３１の溝部３１ａを摺動部材３０が摺動する。これにより上棚かご２７は、下かご２８の上方を食器洗い機の左右方向に、前方から見て最も左側の上棚かご２７ａ（図４（ａ））の位置から最も右側の上棚かご２７ｂ（図４（ｂ））の位置へ横移動が可能となる。さらに、上棚かご２７は、摺動部材３０を軸として回動することで立ち上げも可能に構成されている。また、上棚かご２７の両端に受け部３２が設けられ、受け部３２がレール部材３１の上面に当接することで、摺動部材３０を軸とした回動を止めるとともに、レール部材３１の上を摺動するように構成されている。
【００２６】
下かご２８には、上棚かご２７が移動する左右方向に、略直線状に形成された棒状の食器支持ピン３３が前後２列で一体的に形成され、２列の食器支持ピン３３の間に平行に小物入れ２９を支持する小物支持ピン３４が設けられている。小物入れ２９には、底部に食器支持ピン３３に対応した凹み３５（図１参照）が設けられ、小物入れ２９は、食器支持ピン３３を避けるようにして、小物支持ピン３４上を食器洗い機の左右方向に、前方から見て最も左側の小物入れ２９ａ（図４（ａ））の位置から最も右側の小物入れ２９ｂ（図４（ｂ））の位置へ移動可能に設置されている。
【００２７】
レール部材３１は、図３，図４（ｂ）に示すように、溝部３１ａの長さを調整して、小物入れ２９が最も右側の小物入れ２９ｂの位置にあるとき、最も右側の上棚かご２７ｂが小物入れ２９ｂの上部空間を覆うことがないように、上棚かご２７の移動範囲を規制している。すなわち、上棚かご２７は、小物入れ２９の上部空間を覆わない部分を残すように移動範囲を規制されている。
【００２８】
以上のように構成された食器洗い機について、以下その動作、作用を説明する。まず、使用者は、洗浄槽２２を筐体２１から引き出し、図２，図４（ａ）に示すように、洗浄槽２２の最も左側に位置させた状態の上棚かご２７ａと、最も左側で中央よりに位置させた状態の小物入れ２９ａに、椀、コップ、皿、箸及びスプーン等の食器類２５を順不同で載置、収容してゆく。初期は、上棚かご２７ａを摺動部材３０を軸にして立ち上げることで、容易に下かご２８に椀や皿等の食器類２５を載置することができる。そして、コップ等の食器類２５を載置するため上棚かご２７ａを戻すようにしても良い。
【００２９】
その後、上棚かご２７ａに食器類２５を載置した状態で、上棚かご２７ａに覆われた下かご２８の空いた空間に食器類２５を載置する場合、小物入れ２９ａを下かご２８に設けた小物支持ピン３４に沿って洗浄槽２２の最も右側の小物入れ２９ｂに移動させる。このとき、小物入れ２９ａは、箸やスプーン等の食器類２５を収容した状態で、底部に設けた凹み３５によって、下かご２８に設けた食器支持ピン３３を避けながら横移動することができる。すなわち、小物入れ２９を横移動させるために、皿等の食器類２５を載置する空間が小さくなることはない。
【００３０】
次いで、コップ等の食器類２５が載置された上棚かご２７ａを最も右側の上棚かご２７ｂへ移動させる。これによって、食器類２５が載置された状態でも、上棚かご２７ａに覆われていた下かご２８の空いた空間に椀類等の食器類２５を載置することができる。
【００３１】
また、小物入れ２９を最も右側にした小物入れ２９ｂの状態では、最も左側にあった小物入れ２９ａのスペースに、下かご２８に設けられた食器支持ピン３３が出現するため、小物入れ２９ｂの状態に移動しても食器類２５を同じ量だけ載置することができる。
【００３２】
また、上棚かご２７は、レール部材３１によって、上棚かご２７ｂの最も右側の状態で移動範囲が規制され、上棚かご２７ｂが小物入れ２９ｂの上部空間を覆わない部分を残したので、小物入れ２９ｂに食器類２５を収容した状態で、不用意に上棚かご２７が移動された場合でも、小物入れ２９ｂに収容した食器類２５に当たって無理な負荷をかけることがなく、小物入れ２９や箸類を破損させることを防止することができる。
【００３３】
また、上棚かご２７は、洗浄槽２２の引き出し動作方向と垂直方向に移動するよう構成されたことにより、洗浄槽２２が引き出されたり収納されたりする際に、移動可能な上棚かご２７と小物入れ２９が、洗浄槽２２の開閉動作による慣性力によって移動してしまうことがなく、食器類２５の脱落や食器類２５同士の接触による破損を防止することができる。
【００３４】
なお、本実施の形態１の説明では、上棚かご２７と小物入れ２９との横移動は摺動するように構成したが、これに限るものではなく、ローラーを用いて移動をより軽くしたりすることもできる。また、上棚かご２７の移動範囲の規制を溝部３１ａの長さで調整したが、これに限るものではなく、レール３１の先端に突起を設けて受け部３２を係止するなどの構成でもよい。また、横移動は左右方向に限るものではなく、上棚かご２７と小物入れ２９とを慣性力で移動しないようにしておくのであれば前後方向でも良い。
【００３５】
（実施の形態２）
実施の形態２においては、上棚かごに設けられた補助かごについて説明する。補助かご以外の構成は実施の形態１と同じであり、説明を省略する。図５〜図７は、本発明の実施の形態２における食器洗い機を示すもので、実施の形態１で説明した図１〜図３の上棚かごに補助かごが設けられたものである。特に、図７は、上棚かごを移動した後、補助かごを倒した状態を示している。また、図８（ａ），（ｂ）は補助かごを上棚かごに立て掛けたり倒したりする状態を示すものである。
【００３６】
図６，７において、補助かご３５は、上棚かご２７の一辺で、小物入れ２９とは反対側に回転自在に設けられている。図８（ａ），（ｂ）において、上棚かご２７の下横桟２７ｃを回転軸として、補助かご３５の一端に下横桟２７ｃに係合する長円形の軸支孔３５ｃが形成されている。補助かご３５の中間部には、上棚かご２７の上横桟２７ｄへ引っ掛けることができる係止部として係止爪３５ｄが形成されている。
【００３７】
図８（ａ）に示すように、補助かご３５は上棚かご２７の上横桟２７ｄに係止爪３５ｄを引っ掛けて立て掛けられており、図６に示すように、上棚かご２７を洗浄槽２２の壁側に寄せた時にも邪魔にならず、下かご２８、小物入れ２９および上棚かご２７への食器の載置に支障をきたすことがない。
【００３８】
そして、図８（ｂ）に示すように、補助かご３５を上方に持ち上げ、係止爪３５ｄを上横桟２７ｄから外して回転させて倒すことにより、補助かご３５にも食器を載置することができるようになり、より多くの食器類２５を収容することができる。このように、補助かご３５を上方に持ち上げることで上棚かご２７に立て掛けたり、上棚かご２７から係止部を外して回転させて倒したりすることが容易にできる。なお、補助かご３５を倒すことができるのは、図７に示すように上棚かご２７を移動させてからとなる。
【００３９】
また、図７において、上棚かご２７から補助かご３５が上方に持ち上げられ、係止爪３５ｄを上横桟２７ｄから外して回転させて倒されたときには、補助かご３５の先端は、洗浄槽２２の壁面に形成された支持部３６により食器類２５が載置できる状態に支えられる。このようにして補助かご３５は、先端は支持部３６で支えられ、他端の軸支孔３５ｃは下横桟２７ｃに支えられて、食器類２５を載置しても強度的に問題なく保持され、より多くの食器類２５を収容することができる。
【００４０】
（実施の形態３）
図９（ａ），（ｂ）は実施の形態３における食器洗い機の補助かごを示すものである。図９において、上棚かご２７に備わっている補助かご３５は大きさが異なる２つに分割され、それぞれが独立して回転可能な補助かご３５ａ、補助かご３５ｂを構成する。
【００４１】
これにより、補助かご３５ａ，３５ｂを個別に倒して使用することができるとともに、下かご２８に背の高い筒状の被洗浄物２５ａ，２５ｂを載置した場合に、その幅や形状に合わせて補助かご３５ａもしくは補助かご３５ｂを倒して支えて安定させ、洗浄することができる。
【産業上の利用可能性】
【００４２】
以上のように、本発明にかかる食器洗い機は、食器かごに食器を収容する際に、小物入れと上棚かごとを移動可能にすることで、上棚かごの下部の下かごへ食器を容易に出し入れできるので、システムキッチンにビルトインして使用されるタイプ等、特に洗浄槽の開口部が上方に形成された食器洗い機等に有用である。
【符号の説明】
【００４３】
２０  前開口部
２１  筐体
２２  洗浄槽
２４  上開口部
２５  食器類
２６  食器かご
２７，２７ａ，２７ｂ  上棚かご
２８  下かご
２９，２９ａ，２９ｂ  小物入れ
３５，３５ａ，３５ｂ  補助かご
３６  支持部
【図１】
2014018263.tif 000003
【図２】
2014018263.tif 000004
【図３】
2014018263.tif 000005
【図４】
2014018263.tif 000006
【図５】
2014018263.tif 000007
【図６】
2014018263.tif 000008
【図７】
2014018263.tif 000009
【図８】
2014018263.tif 000010
【図９】
2014018263.tif 000011
【図１０】
2014018263.tif 000012
【図１１】
2014018263.tif 000013